(57)【要約】【課題】利用者にとって関心のある電話広告の提供についての利便性を高めると共に、利用者の電話番号を広告主に知らせることなく広告主からの電話広告を利用者に提供することを課題とする。【解決手段】情報管理装置１０が、利用者が希望する広告希望情報を利用者端末５０の電話番号に関連付けて登録しておき、登録されている複数の広告希望情報を広告主端末７０に選択可能に表示し、広告主により所定の広告希望情報が選択された場合に、一時的に使用可能な接続用電話番号を広告主端末７０に提示し、提示した接続用電話番号を、選択された広告希望情報に関連付けられた利用者端末の電話番号に割り当てて記憶し、ＳＩＰサーバ３０が、広告主端末７０からの発信を受け付けて、発信時に使用された接続用電話番号に対応する利用者端末の電話番号を取得し、取得した電話番号の利用者端末５０に着信して広告主端末７０との間の通話を確立する。【選択図】図１
2010287994.tif 000002
【特許請求の範囲】
【請求項１】
情報管理装置及び呼制御装置を備え、広告主端末からの広告情報を利用者端末に提供する広告情報提供システムにおいて、
前記情報管理装置は、
有効期間又は最大利用回数に応じて一時的に使用可能な接続用電話番号を記憶しておく接続用電話番号記憶手段と、
利用者が希望する広告情報の入力を受け付ける受付手段と、
入力された広告希望情報を前記利用者端末の電話番号に関連付けて利用者情報記憶手段に登録する登録手段と、
登録されている複数の前記広告希望情報を前記利用者情報記憶手段から読み出して、前記広告主端末に選択可能に表示し、広告主により所定の広告希望情報が選択された場合に、前記接続用電話番号記憶手段から前記接続用電話番号を取得して、当該広告希望情報の希望者連絡先として前記広告主端末に表示する提示手段と、
取得した前記接続用電話番号を、選択された前記広告希望情報に関連付けられた利用者端末の電話番号に割り当てて、番号変換情報記憶手段に記憶させる割当手段と、を有し、
前記呼制御装置は、
前記広告主端末からの発信を受け付けて、発信時に使用された接続用電話番号に対応する利用者端末の電話番号を前記番号変換情報記憶手段から取得する取得手段と、
取得した電話番号の利用者端末に着信して前記広告主端末との間の通話を確立し、前記広告情報を当該利用者端末の利用者に提供する呼接続手段と、
を有することを特徴とする広告情報提供システム。
【請求項２】
前記呼制御装置は、
確立された通話時間を、前記広告主端末の電話番号及び前記利用者端末の電話番号に関連付けて記録しておき、
前記情報管理装置は、
前記広告情報の提供に対する対価を前記通話時間に基づいて計算し、前記広告主端末に対して対価請求額として通知するとともに、前記利用者端末に対して対価支払額として通知することを特徴とする請求項１に記載の広告情報提供システム。
【請求項３】
情報管理装置及び呼制御装置を備え、広告主端末からの広告情報を利用者端末に提供する広告情報提供方法において、
前記情報管理装置により、
有効期間又は最大利用回数に応じて一時的に使用可能な接続用電話番号を接続用電話番号記憶手段に記憶しておくステップと、
利用者が希望する広告情報の入力を受け付けるステップと、
入力された広告希望情報を前記利用者端末の電話番号に関連付けて利用者情報記憶手段に登録するステップと、
登録されている複数の前記広告希望情報を前記利用者情報記憶手段から読み出して、前記広告主端末に選択可能に表示し、広告主により所定の広告希望情報が選択された場合に、前記接続用電話番号記憶手段から前記接続用電話番号を取得して、当該広告希望情報の希望者連絡先として前記広告主端末に表示するステップと、
取得した前記接続用電話番号を、選択された前記広告希望情報に関連付けられた利用者端末の電話番号に割り当てて、番号変換情報記憶手段に記憶させるステップと、を有し、
前記呼制御装置により、
前記広告主端末からの発信を受け付けて、発信時に使用された接続用電話番号に対応する利用者端末の電話番号を前記番号変換情報記憶手段から取得するステップと、
取得した電話番号の利用者端末に着信して前記広告主端末との間の通話を確立し、前記広告情報を当該利用者端末の利用者に提供するステップと、
を有することを特徴とする広告情報提供方法。
【請求項４】
前記呼制御装置により、
確立された通話時間を、前記広告主端末の電話番号及び前記利用者端末の電話番号に関連付けて記録しておき、
前記情報管理装置により、
前記広告情報の提供に対する対価を前記通話時間に基づいて計算し、前記広告主端末に対して対価請求額として通知するとともに、前記利用者端末に対して対価支払額として通知することを特徴とする請求項３に記載の広告情報提供方法。
【発明の詳細な説明】
【技術分野】
【０００１】
本発明は、広告主端末からの広告情報を利用者端末に提供する広告情報提供システム及び広告情報提供方法に関する。
【背景技術】
【０００２】
現在、利用者の目的にあった広告の電話を広告主から受け、利用者が広告を受ける事に対する対価を広告主から得るサービスが存在している。例えば、非特許文献１には、ウェブサイト訪問者がサイトのボタンやバナーをクリックするだけで、サイト運営者又はサイトに広告を出稿している広告主に無料で電話が繋がるサービスを提供する技術が開示されている。
【先行技術文献】
【非特許文献】
【０００３】
【非特許文献１】“ワクワクダイアル”、［online］、株式会社ＵＣＯＭ、［平成21年5月26日検索］、インターネット<http://www.mediakk.com/service/wc2dial/>
【発明の概要】
【発明が解決しようとする課題】
【０００４】
しかしながら、所望する広告の電話を得るにはウェブサイト検索等の手段を講じて広告主を予め把握する必要があるため、関心のある広告主を利用者自身で調査、収集しなければならないという問題があった。
【０００５】
本発明は、上記を鑑みてなされたものであり、利用者にとって関心のある電話広告の提供についての利便性を高めると共に、利用者の電話番号を広告主に知らせることなく広告主からの電話広告を利用者に提供することを課題とする。
【課題を解決するための手段】
【０００６】
請求項１に記載の本発明は、情報管理装置及び呼制御装置を備え、広告主端末からの広告情報を利用者端末に提供する広告情報提供システムにおいて、前記情報管理装置は、有効期間又は最大利用回数に応じて一時的に使用可能な接続用電話番号を記憶しておく接続用電話番号記憶手段と、利用者が希望する広告情報の入力を受け付ける受付手段と、入力された広告希望情報を前記利用者端末の電話番号に関連付けて利用者情報記憶手段に登録する登録手段と、登録されている複数の前記広告希望情報を前記利用者情報記憶手段から読み出して、前記広告主端末に選択可能に表示し、広告主により所定の広告希望情報が選択された場合に、前記接続用電話番号記憶手段から前記接続用電話番号を取得して、当該広告希望情報の希望者連絡先として前記広告主端末に表示する提示手段と、取得した前記接続用電話番号を、選択された前記広告希望情報に関連付けられた利用者端末の電話番号に割り当てて、番号変換情報記憶手段に記憶させる割当手段と、を有し、前記呼制御装置は、前記広告主端末からの発信を受け付けて、発信時に使用された接続用電話番号に対応する利用者端末の電話番号を前記番号変換情報記憶手段から取得する取得手段と、取得した電話番号の利用者端末に着信して前記広告主端末との間の通話を確立し、前記広告情報を当該利用者端末の利用者に提供する呼接続手段と、を有することを特徴とする。
【０００７】
請求項２に記載の本発明は、前記呼制御装置が、確立された通話時間を、前記広告主端末の電話番号及び前記利用者端末の電話番号に関連付けて記録しておき、前記情報管理装置は、前記広告情報の提供に対する対価を前記通話時間に基づいて計算し、前記広告主端末に対して対価請求額として通知するとともに、前記利用者端末に対して対価支払額として通知することを特徴とする。
【０００８】
請求項３に記載の本発明は、情報管理装置及び呼制御装置を備え、広告主端末からの広告情報を利用者端末に提供する広告情報提供方法において、前記情報管理装置により、有効期間又は最大利用回数に応じて一時的に使用可能な接続用電話番号を接続用電話番号記憶手段に記憶しておくステップと、利用者が希望する広告情報の入力を受け付けるステップと、入力された広告希望情報を前記利用者端末の電話番号に関連付けて利用者情報記憶手段に登録するステップと、登録されている複数の前記広告希望情報を前記利用者情報記憶手段から読み出して、前記広告主端末に選択可能に表示し、広告主により所定の広告希望情報が選択された場合に、前記接続用電話番号記憶手段から前記接続用電話番号を取得して、当該広告希望情報の希望者連絡先として前記広告主端末に表示するステップと、取得した前記接続用電話番号を、選択された前記広告希望情報に関連付けられた利用者端末の電話番号に割り当てて、番号変換情報記憶手段に記憶させるステップと、を有し、前記呼制御装置により、前記広告主端末からの発信を受け付けて、発信時に使用された接続用電話番号に対応する利用者端末の電話番号を前記番号変換情報記憶手段から取得するステップと、取得した電話番号の利用者端末に着信して前記広告主端末との間の通話を確立し、前記広告情報を当該利用者端末の利用者に提供するステップと、を有することを特徴とする。
【０００９】
請求項４に記載の本発明は、前記呼制御装置により、確立された通話時間を、前記広告主端末の電話番号及び前記利用者端末の電話番号に関連付けて記録しておき、前記情報管理装置により、前記広告情報の提供に対する対価を前記通話時間に基づいて計算し、前記広告主端末に対して対価請求額として通知するとともに、前記利用者端末に対して対価支払額として通知することを特徴とする。
【発明の効果】
【００１０】
本発明によれば、利用者にとって関心のある電話広告の提供についての利便性を高めると共に、利用者の電話番号を広告主に知らせることなく広告主からの電話広告を利用者に提供することができる。
【図面の簡単な説明】
【００１１】
【図１】本実施の形態に係る広告情報提供システムの機能構成を示す図である。
【図２】利用者情報の一例を示す図である。
【図３】広告主情報の一例を示す図である。
【図４】番号変換情報の一例を示す図である。
【図５】利用履歴情報の一例を示す図である。
【図６】広告情報提供システムの処理フローを示す図である。
【図７】ＳＩＰサーバの処理フローを示す図である。
【図８】情報管理装置の処理フローを示す図である。
【発明を実施するための形態】
【００１２】
以下、一実施の形態について図面を用いて説明する。
【００１３】
図１は、本実施の形態に係る広告情報提供システムの機能構成を示す図である。この広告情報提供システム１は、所定の通信ネットワーク（図示せず）を介して利用者が使用している利用者端末５０と広告主が操作する広告主端末７０とに接続され、相互に通信可能な情報管理装置１０及びＳＩＰサーバ３０で構成されている。
【００１４】
なお、この広告情報提供システム１を構成している情報管理装置１０及びＳＩＰサーバ３０は、ＣＰＵ等の演算処理装置やメモリ等の記憶装置を備えたコンピュータにより構成可能なものであり、各機能部の処理はプログラムによって実行される。また、このようなプログラムは記憶装置に記憶されており、記録媒体に記録することも、ネットワークを通して提供することも可能である。
【００１５】
また、本実施の形態では、利用者端末５０と広告主端末７０との間で確立される呼を主に処理するＳＩＰサーバ３０を、情報管理装置１０とは独立した一装置として以下説明するが、このような２つの装置で構成された広告情報提供システム１に代えて、ＳＩＰサーバ３０と情報管理装置１０とを一体化した一装置（例えば、広告情報提供装置という）とすることも可能である。以下、各機能部について個別具体的に説明すると共に、各構成部を備えることによる作用及び効果について説明する。
【００１６】
最初に、情報管理装置１０の構成について説明する。この情報管理装置１０は、受付部１１と、登録部１２と、提示部１３と、割当部１４と、計算部１５と、通知部１６と、接続用電話番号記憶部１７と、利用者情報記憶部１８と、広告主情報記憶部１９と、番号変換情報記憶部２０とで構成されている。
【００１７】
受付部１１は、利用者端末５０からウェブによるアクセスがあった場合に、利用者情報登録画面を利用者端末の画面に出力表示し、利用者が操作しているその利用者端末の電話番号、利用者が購入や加入を検討している広告内容（商品・サービス）、利用者の属性情報（例えば、年齢、性別、居住地域等の汎用的な属性情報）等の入力を受け付ける機能を有する。一方、広告主端末７０からアクセスがあった場合には、広告主情報登録画面を広告主端末の画面に出力表示し、広告主が操作しているその広告主端末の電話番号、その他連絡先（例えば、広告主端末７０に代わる他の電話番号、電子メールアドレス等の連絡先）の入力を受け付ける機能を有する。
【００１８】
登録部１２は、利用者情報登録画面を介して利用者により上記利用者情報が入力された場合に、入力された広告内容（以下、「広告希望内容」という）と属性情報とを利用者端末の電話番号に関連付けて、「利用者情報」として利用者情報記憶部１８に登録する機能を有する。また、広告主情報登録画面を介して広告主により上記広告主情報が入力された場合には、入力された広告主端末の電話番号とその他連絡先とを互いに関連付けて、「広告主情報」として広告主情報記憶部１９に登録する機能を有する。
【００１９】
提示部１３は、広告主自身が提供している広告を希望している利用者を検索するため、広告主端末７０から利用者情報の検索要求があった場合に、利用者情報記憶部１８に登録されている「利用者情報」を取得し、取得した「利用者情報」に含まれている複数の広告希望内容を広告主端末の画面に対して選択可能に出力表示すると共に、対価条件の設定入力欄を出力表示する機能を有する。その後、広告主により所定の広告希望内容が選択され、対価条件が入力された場合には、接続用電話番号記憶部１７に予め記憶されている複数の接続用電話番号から一の接続用電話番号を取得し、選択した広告希望内容を欲する希望者の連絡先として広告主端末の画面に出力表示する機能を有する。
【００２０】
割当部１４は、提示部１３で提示する際に取得した一の接続用電話番号を、広告主により選択された広告希望内容に関連する利用者端末の電話番号に割り当て、その接続用電話番号の有効期間と、広告主により設定入力された対価条件とに関連付けて、「番号変換情報」として番号変換情報記憶部２０に記憶させる機能を有する。
【００２１】
計算部１５は、ＳＩＰサーバ３０の利用履歴情報記憶部３４に記憶されている「利用履歴情報」（後述にて説明）を取得し、取得した「利用履歴情報」に記録された通話時間や対価条件を用いて所定の周期や方法で利用履歴を集計し、広告主に請求する対価請求額と、利用者に支払う対価支払額とを計算する機能を有する。
【００２２】
通知部１６は、計算部１５で計算された対価請求額を広告主端末７０に通知し、対価支払額を利用者端末５０に通知する機能を有する。また、単に通知するのみではなく、広告主端末７０に対する対価の請求や、利用者端末５０に対する対価の支払いを処理する機能を有する。
【００２３】
接続用電話番号記憶部１７は、設定された有効期間や最大利用回数に応じて、一時的に発信可能な複数の接続用電話番号を予め記憶しておく機能を有する。利用者情報記憶部１８は、登録部１２により登録された「利用者情報」を記憶しておく機能を有する（図２参照）。また、広告主情報記憶部１９は、登録部１２により登録された「広告主情報」を記憶しておく機能を有する（図３参照）。さらに、番号変換情報記憶部２０は、割当部１４により生成された「番号変換情報」を記憶しておく機能を有する（図４参照）。
【００２４】
次に、ＳＩＰサーバ３０の構成について説明する。このＳＩＰサーバ３０は、取得部３１と、呼接続部３２と、記録部３３と、利用履歴情報記憶部３４とで構成されている。
【００２５】
取得部３１は、広告主端末７０から発信があった場合に、情報管理装置１０の番号変換情報記憶部２０から「番号変換情報」を取得し、発信時に用いられた接続先の電話番号に対応する利用者端末の電話番号を検索して取得する機能を有する。
【００２６】
呼接続部３２は、取得部３１で取得した電話番号の利用者端末に着信し、利用者端末５０と広告主端末７０との間の通話を確立する機能を有する。これにより、広告主端末７０を使用している広告主からの広告情報（例えば、音声による電話ガイダンス等）を利用者に提供することが可能となる。
【００２７】
記録部３３と、利用者端末５０と広告主端末７０との間で確立された呼の通話時間（通話開始時刻、通話終了時刻）を、その通話している広告主端末の電話番号及び利用者端末の電話番号や、広告主により設定入力された対価条件に関連付けて、「利用履歴情報」として利用履歴情報記憶部３４に記録する機能を有する。
【００２８】
利用履歴情報記憶部３４は、記録部３３により記録された「利用履歴情報」を記憶しておく機能を有する（図５参照）。
【００２９】
なお、利用者端末５０及び広告主端末７０としては、例えば、ＰＣや電話（携帯電話や電話回線に接続する普通の電話）等からなる複数のハードウェアを用いることも可能であり、ＰＣの機能として電話（いわゆるインターネット電話）が使用可能であれば、単一のハードウェアからなるものを用いることも可能である。
【００３０】
続いて、本広告情報提供システム１における処理の流れについて説明する。図６は、広告情報提供システムの処理フローを示す図である。
【００３１】
最初に、利用者端末５０のブラウザ機能を用いて利用者からアクセスがあった場合に、情報管理装置１０の受付部１１が、利用者情報登録画面を利用者端末５０に送信し、登録部１２が、その利用者情報登録画面に沿って入力された利用者端末の電話番号、希望する広告内容、属性情報を、利用者情報記憶部１８に登録する（Ｓ１０１）。
【００３２】
次に、広告主から、広告主端末７０のブラウザ機能を用いて、広告を求めている利用者の検索要求があった場合に、提示部１３が、Ｓ１０１の処理により登録された「利用者情報」に含まれている広告希望内容を広告主端末７０に送信し、その後、広告主により、その広告主が提供している広告の目的に適合する広告希望内容が選択され、更に、その広告希望内容の提供に対する対価条件が入力された場合に、一時的に発信可能な接続用電話番号を利用者に関する連絡先として広告主端末７０に送信する（Ｓ１０２）。
【００３３】
そして、割当部１４が、広告主端末７０に送信した接続用電話番号と、広告主端末の電話番号と、広告主により選択された広告希望内容に関連している利用者端末の電話番号と、その接続用電話番号の有効期間と、広告主により入力された対価条件とを関連付けて番号変換情報を生成し、番号変換情報記憶部２０に記憶する（Ｓ１０３）。
【００３４】
その後、広告主端末７０から発信があった場合に、その発信時に用いられた接続先の電話番号が本広告情報提供システムで使用している番号帯であれば（より具体的には、接続用電話番号記憶部１７に記憶されている接続用電話番号のいずれかに一致するのであれば）、ＳＩＰサーバ３０の取得部３１が、情報管理装置１０の番号変換情報記憶部２０から「番号変換情報」を取得して、その接続先の電話番号に対応する利用者端末の電話番号を検索し、取得する（Ｓ１０４）。
【００３５】
そして、呼接続部３２が、Ｓ１０４で検索した電話番号を有する利用者端末５０に着信し、広告主端末７０からの発信を利用者端末５０に着信させる（Ｓ１０５）。これにより、利用者は広告主からの電話を受けることができ、広告主からの広告情報が利用者に提供される。なお、呼接続部３２は、利用者端末５０に接続する際に、発信者番号通知として本広告情報提供システム１に固有の番号を利用者端末５０に通知して出力表示させることも可能である。これにより、利用者は、本広告情報提供システム１からの着信であることを事前に把握することが可能となる。その際、対価の発生条件についてガイダンスすることも可能である。
【００３６】
その後、ＳＩＰサーバ３０は、通話が終了したことを検出し、記録部３３が、Ｓ１０５での通話に要した通話時間（通話開始時刻、通話終了時刻）を利用履歴情報記憶部３４に記録する（Ｓ１０６）。
【００３７】
情報管理装置１０の計算部１５は、ＳＩＰサーバ３０の利用履歴情報記憶部３４から利用履歴情報を取得し、記録されている通話時間や対価条件を用いて広告主に請求する対価請求額と、利用者に支払う対価支払額とを計算する（Ｓ１０７）。
【００３８】
最後に、通知部１６が、Ｓ１０７で計算された対価請求額を広告主端末７０に通知し、対価支払額を利用者端末５０に通知する（Ｓ１０８）。通知のみではなく、実際に対価請求額を広告主端末７０に請求し、対価支払額を利用者端末５０に支払うことも可能である。
【００３９】
なお、対価の計算には、通話時間に応じた対価を計算するほか、所定の時間未満の通話で十分な広告効果がない場合には、対価未発生とすることや減額して計算することも可能である。また、利用者から広告主情報や発生した対価の提示を求められた場合に、情報管理装置１０は、広告主情報を利用者端末の画面に出力表示することや、利用履歴情報を用いて対価の計算を随時行って利用者に提示することも可能である。さらに、情報管理装置１０は、利用者が広告を受ける目的を達した場合には、利用者からの削除要求に基づいて、該当する利用者に関する情報を利用者情報から削除することも可能である。
【００４０】
次に、図６に示した番号変換時（Ｓ１０４の処理）におけるＳＩＰサーバ３０及び情報管理装置１０の処理の流れについて説明する。図７は、ＳＩＰサーバの処理フローを示す図である。
【００４１】
まず、ＳＩＰサーバ３０は、広告主端末７０から呼の接続要求を受信し（Ｓ２０１）、情報管理装置１０の接続用電話番号記憶部１７に記憶されている接続用電話番号を用いて、本広告情報提供システムで使用している番号帯への発信か否かを判定する（Ｓ２０２）。
【００４２】
Ｓ２０２での判定結果、広告主端末７０からの接続先の電話番号が、本広告情報提供システムで使用している番号帯である場合には、情報管理装置１０にその接続先の電話番号を送信し（Ｓ２０３）、情報管理装置１０から応答を受信する（Ｓ２０４）。
【００４３】
そして、Ｓ２０４での受信時に、広告主端末の電話番号、利用者端末の電話番号、対価条件を受信したか否かを判定し（Ｓ２０５）、受信した場合には、その広告主端末の電話番号が、Ｓ２０１で受信した呼の接続要求の発信元番号（広告主端末の電話番号）に一致しているか否かを判定する（Ｓ２０６）。
【００４４】
Ｓ２０６での判定結果、両者が一致している場合には、利用者端末５０に接続要求を送信する（Ｓ２０７）。
【００４５】
一方、Ｓ２０５の判定において、広告主端末の電話番号、利用者端末の電話番号、対価条件を受信していない場合や、Ｓ２０６の判定において、両者が一致していない場合には、情報管理装置１０にエラーを返却する（Ｓ２０８）。
【００４６】
また、Ｓ２０２の判定において、本広告情報提供システムで使用している番号帯でない場合には、Ｓ２０３〜Ｓ２０８の処理をすることなく、通常の着信処理を実施する（Ｓ２０９）。
【００４７】
続いて、情報管理装置１０の処理の流れについて説明する。図８は、情報管理装置の処理フローを示す図である。
【００４８】
まず、情報管理装置１０は、ＳＩＰサーバ３０から、広告主端末７０からの接続先の電話番号を受信し（Ｓ３０１）、受信した接続先の電話番号をキーに用いて番号変換情報を検索する（Ｓ３０２）。
【００４９】
そして、Ｓ３０２での検索の結果、接続先の電話番号に対して広告主端末の電話番号及び利用者端末の電話番号が登録されているかを判定し（Ｓ３０３）、登録されている場合には、広告主端末７０の発信時刻が有効期間内であるか否かを判定する（Ｓ３０４）。
【００５０】
Ｓ３０４での判定結果、有効期間内である場合には、ＳＩＰサーバ３０に、広告主端末の電話番号、利用者端末の電話番号、対価条件を返却する（Ｓ３０５）。
【００５１】
一方、Ｓ３０３の判定において、登録されていない場合や、Ｓ３０４の判定において、有効期間内でない場合には、ＳＩＰサーバ３０にエラーを返却する（Ｓ２０８）。
【００５２】
本実施の形態によれば、情報管理装置１０が、有効期間又は最大利用回数に応じて一時的に使用可能な接続用電話番号を記憶しておき、利用者によって入力された広告希望情報を利用者端末５０の電話番号に関連付けて登録し、登録されている複数の広告希望情報を広告主端末７０に選択可能に表示し、広告主により所定の広告希望情報が選択された場合に、上記接続用電話番号を広告希望情報の希望者連絡先として広告主端末７０に提示し、提示した接続用電話番号を、選択された広告希望情報に関連付けられた利用者端末の電話番号に割り当てて記憶し、ＳＩＰサーバ３０が、広告主端末７０からの発信を受け付けて、発信時に使用された接続用電話番号に対応する利用者端末の電話番号を取得し、取得した電話番号の利用者端末５０に着信して広告主端末７０との間の通話を確立するので、利用者情報を登録するだけで所望する広告情報を利用者に提供することが可能となる。
【００５３】
本実施の形態によれば、一時的に使用可能な接続用電話番号を広告希望情報の希望者連絡先として広告主端末７０に提示するので、実際の利用者の電話番号を広告主に知らせることなく広告主からの電話広告を利用者に提供することが可能となる。
【００５４】
本実施の形態によれば、ＳＩＰサーバ３０が、確立された通話時間を、広告主端末の電話番号及び利用者端末の電話番号に関連付けて記録しておき、情報管理装置１０が、広告情報の提供に対する対価を通話時間に基づいて計算し、広告主端末７０に対して対価請求額として通知するとともに、利用者端末５０に対して対価支払額として通知するので、その広告情報の提供に対する対価を得ることが可能となる。
【００５５】
本実施の形態によれば、通話時間に基づいて対価を計算するので、広告の対価を適正に算出することが可能となる。
【符号の説明】
【００５６】
１…広告情報提供システム
１０…情報管理装置
１１…受付部（受付手段）
１２…登録部（登録手段）
１３…提示部（提示手段）
１４…割当部（割当手段）
１５…計算部
１６…通知部
１７…接続用電話番号記憶部（接続用電話番号記憶手段）
１８…利用者情報記憶部（利用者情報記憶手段）
１９…広告主情報記憶部
２０…番号変換情報記憶部（番号変換情報記憶手段）
３０…ＳＩＰサーバ（呼制御装置）
３１…取得部（取得手段）
３２…呼接続部（呼接続手段）
３３…記録部
３４…利用履歴情報記憶部
５０…利用者端末
７０…広告主端末
【図１】
2010287994.tif 000003
【図２】
2010287994.tif 000004
【図３】
2010287994.tif 000005
【図４】
2010287994.tif 000006
【図５】
2010287994.tif 000007
【図６】
2010287994.tif 000008
【図７】
2010287994.tif 000009
【図８】
2010287994.tif 000010